(57)【要約】【課題】  十分な耐振性能および耐衝撃性能を確保することができるとともに組み立て性に優れたレンズ組立体、レンズ組立体における接着方法、およびレンズ組立体を備えた撮像装置を提供する。【解決手段】  撮影レンズ１４，１３，１２，１１を鏡筒１５に順次収容し、鏡筒１５の雄ネジにレンズホルダ１７の雌ネジを螺入した状態において、レンズホルダ１７の接着穴１７ｃ１から接着剤１８を注入し、鏡筒１５とレンズホルダ１７との間に形成された、鏡筒１５のＤカット部１５ｂ１に対応する空間αを経由して、鏡筒１５の雄ネジとレンズホルダ１７の雌ネジの螺合箇所に接着剤１８を浸透させる。【選択図】  図１
2009244787.tif 000002
【特許請求の範囲】
【請求項１】
レンズを収容し外周面に第１のネジが形成された鏡筒と、開口を有し該開口の内壁面に前記第１のネジと螺合する第２のネジが形成されたレンズホルダとを備え、
前記鏡筒が、前記第１のネジの一部分が前記レンズの光軸方向に扁平にカットされた形状のＤカット部を有し、
前記レンズホルダが、前記第１のネジと前記第２のネジの螺合が完了した状態において、前記Ｄカット部を前記レンズの光軸方向に覗く接着穴を有することを特徴とするレンズ組立体。
【請求項２】
前記鏡筒外周面と前記レンズホルダ内壁面との間に、前記接着穴および前記Ｄカット部を含む、前記レンズの光軸方向に貫通した通気孔を有することを特徴とする請求項１記載のレンズ組立体。
【請求項３】
レンズを収容し外周面に第１のネジが形成された鏡筒と、開口を有し該開口内壁面に前記第１のネジと螺合する第２のネジが形成されたレンズホルダとを備え、
前記鏡筒が、前記第１のネジの一部分が前記レンズの光軸方向に扁平にカットされた形状のＤカット部を有し、
前記レンズホルダが、前記第１のネジと前記第２のネジの螺合が完了した状態において、前記Ｄカット部を前記レンズの光軸方向に覗く接着穴を有し、
前記鏡筒外周面と前記レンズホルダ内壁面との間に、前記接着穴および前記Ｄカット部を含む、前記レンズの光軸方向に貫通した通気孔を有するレンズ組立体における、前記鏡筒と前記レンズホルダとの接着方法であって、
前記接着穴とは反対側から前記通気孔を経由する空気を吸い出しながら、該接着穴から接着剤を注入することを特徴とする接着方法。
【請求項４】
請求項１又は２記載のレンズ組立体と、撮像素子とを備えたことを特徴とする撮像装置。
【発明の詳細な説明】
【技術分野】
【０００１】
本発明は、レンズを収容する鏡筒とその鏡筒に取り付けられるレンズホルダとを備えたレンズ組立体、レンズ組立体における鏡筒とレンズホルダとの接着方法、およびレンズ組立体を備えた撮像装置に関する。
【背景技術】
【０００２】
最近、自動車にカメラが配備されるようになってきている。自動車に配備されるカメラは監視用として用いられるものであったり、運転アシスト用に用いられるものであったりする。後者の方は、ナビゲーションシステムが普及し運転席に表示画面が設けられたことを利用して、その表示画面上にカメラで撮影した画像を表示しようというものである。
【０００３】
この様な車載用のカメラにあっては、耐振性および耐衝撃性が要求されるものが多く、その要求に応えてカメラを大型化させずに充分な耐振性および耐衝撃性を実現するために、小型で優れた耐振性能および耐衝撃性能を有するレンズ組立体を具備するということが行なわれている。
【０００４】
図７は、従来のレンズ組立体の、撮影レンズの光軸を含む断面を示す図である。
【０００５】
図７には、被写体光Ａが入射される側から順に、レンズ組立体１００を構成する第１群の撮影レンズ１０１と、第２群の撮影レンズ１０２と、第３群の撮影レンズ１０３と、第４群の撮影レンズ１０４とが示されている。また、この図７には、これら撮影レンズ１０１，１０２，１０３，１０４を収容する鏡筒１０５と、撮影レンズ１０１の周縁に設けられた溝と鏡筒１０５の内壁面との間に配置されたＯリング１０６と、鏡筒１０５に固定されたレンズホルダ１０７とが示されている。
【０００６】
詳細には、鏡筒１０５の外周面には雄ネジが形成されるとともに、レンズホルダ１０７の内壁面には雌ネジが形成されており、鏡筒１０５の雄ネジにレンズホルダ１０７の雌ネジが螺入することにより、鏡筒１０５にレンズホルダ１０７が取り付けられている。また、レンズホルダ１０７には、連通孔１０７ａが設けられており、これら雄ネジと雌ネジが螺合している箇所に上記連通孔１０７ａから接着剤１０８が注入され、これにより鏡筒１０５にレンズホルダ１０７が固定されている。尚、このレンズホルダ１０７には、以下に説明するＣＣＤ基板が取り付けられる。
【０００７】
図８は、図７に示すレンズ組立体を構成するレンズホルダにＣＣＤ基板を取り付ける様子を示した図である。
【０００８】
図８には、図７に示すレンズ組立体１００が示されている。また、この図８には、ＣＣＤ撮像素子が搭載された半導体パッケージ１０９と、この半導体パッケージ１０９が実装されたＣＣＤ基板１１０とが示されている。このＣＣＤ基板１１０をレンズホルダ１０７に取り付けるには、ＣＣＤ基板１１０の横方向Ｘ（紙面に対して垂直方向）、縦方向Ｙ（紙面に対して上下方向）、光軸方向Ｚ、および光軸に対する仰角方向の傾き角度θ（あおり角度）を調整し、次いでレンズホルダ１０７とＣＣＤ基板１１０との当接部分に接着剤１１１を塗布して、レンズホルダ１０７にＣＣＤ基板１１０を固定する。
【０００９】
このように、上述したレンズ組立体１００では、鏡筒１０５の雄ネジとレンズホルダ１０７の雌ネジが螺合している箇所に接着剤１０８が塗布されて鏡筒１０５にレンズホルダ１０７が固定されている。また、レンズホルダ１０７とＣＣＤ基板１１０との当接部分に接着剤１１１が塗布されてレンズホルダ１０７にＣＣＤ基板１１０が固定されている。従って、小型で且つ耐振性および耐衝撃性が確保されたレンズ組立体が実現されている。
【００１０】
また、特許文献１には、鏡筒の先端の突起を熱溶着により撮影レンズの前面側にかしめることで、撮影レンズと鏡筒との間の防水性を確保するレンズ組立体において、鏡筒をカメラケースにゴムパッキンを介してネジ止めする技術が提案されている。
【００１１】
さらに、特許文献２には、レンズホルダに外装されるナット体を用いて、鏡筒であるレンズユニットをレンズホルダに固定する技術が提案されている。
【特許文献１】特開２００２−９０６０３号公報
【特許文献２】特開２００５−３５２３８６号公報
【発明の開示】
【発明が解決しようとする課題】
【００１２】
上述したように、従来の、図７，図８に示すレンズ組立体では、鏡筒にレンズホルダを固定するにあたり、鏡筒の外周面に形成された雄ネジとレンズホルダの内壁面に形成された雌ネジを螺合した後に、その螺合箇所に、レンズホルダに設けられた連通孔から接着剤を注入している。ここで、上記螺合箇所は雄ネジと雌ネジとが密着している箇所であるため、その螺合箇所に接着剤を十分に塗布することは困難であり、従って接着強度は弱く十分な耐振性能および耐衝撃性能を確保することは困難である。そこで、鏡筒の外周面に形成された雄ネジとレンズホルダの内壁面に形成された雌ネジを螺合する前に、これら雄ネジと雌ネジに接着剤を塗布しておき、その後これら雄ネジと雌ネジを螺合することが考えられる。このようにすることにより、螺合箇所に接着剤を十分に行き渡らせることができ、従って十分に耐振性能および耐衝撃性能を確保することができる。しかし、組み立て性能の確認は、雄ネジと雌ネジに接着剤を塗布した後で行なわれるため、例えば、鏡筒とレンズホルダとの位置関係が規定の範囲から外れていた場合、鏡筒とレンズホルダとは既に接着剤で固定されているため、鏡筒とレンズホルダとの位置関係を規定の範囲内に調整することは困難である。従って、組み立てられたレンズ組立体を廃棄せざるを得ないという事態が発生する。
【００１３】
また、特許文献１に提案された、鏡筒をカメラケースにゴムパッキンを介してネジ止めする技術、および、特許文献２に提案された、レンズホルダに外装されるナット体を用いてレンズユニットをレンズホルダに固定する技術では、組み立て作業が煩雑であり、またレンズ組立体が大型化するという問題がある。
【００１４】
本発明は、上記事情に鑑み、十分な耐振性能および耐衝撃性能を確保することができるとともに組み立て性に優れたレンズ組立体、レンズ組立体における接着方法、およびレンズ組立体を備えた撮像装置を提供することを目的とする。
【課題を解決するための手段】
【００１５】
上記目的を達成する本発明のレンズ組立体は、
レンズを収容し外周面に第１のネジが形成された鏡筒と、開口を有しその開口の内壁面に上記第１のネジと螺合する第２のネジが形成されたレンズホルダとを備え、
上記鏡筒が、上記第１のネジの一部分が上記レンズの光軸方向に扁平にカットされた形状のＤカット部を有し、
上記レンズホルダが、上記第１のネジと上記第２のネジの螺合が完了した状態において、上記Ｄカット部を上記レンズの光軸方向に覗く接着穴を有することを特徴とする。
【００１６】
本発明のレンズ組立体は、鏡筒の第１のネジとレンズホルダの第２のネジの螺合が完了した状態において、鏡筒とレンズホルダとの間に、鏡筒が有するＤカット部に対応する空間が形成される。ここで、レンズホルダの接着穴から接着剤を注入すると、注入された接着剤は上記空間を経由して、上記第１のネジと上記第２のネジとが螺合している箇所に十分に浸透することができる。従って、鏡筒にレンズホルダを十分な強度で固定することができ、耐振性能および耐衝撃性能が十分に確保されたレンズ組立体を提供することができる。
【００１７】
また、組み立て性能の確認終了後に、接着穴から接着剤を注入することができるため、第１のネジと第２のネジに接着剤を塗布した後に第１のネジと第２のネジを螺合する場合と比較し、組み立て性能の確認において調整が必要であると判定され既に接着剤で鏡筒とレンズホルダが固定された状態にあるレンズ組立体を廃棄せざるを得ないという事態を避けることができ、従ってレンズ組立体の廃棄率の低下が図られる。
【００１８】
さらに、特許文献１に提案された、鏡筒をカメラケースにゴムパッキンを介してネジ止めする技術や、特許文献２に提案された、レンズホルダに外装されるナット体を用いてレンズユニットをレンズホルダに固定する技術と比較し、組み立て作業が簡単であり且つ大型化することもなく、従って小型で組み立て性に優れたレンズ組立体を提供することができる。
【００１９】
ここで、上記鏡筒外周面と上記レンズホルダ内壁面との間に、上記接着穴および上記Ｄカット部を含む、上記レンズの光軸方向に貫通した通気孔を有することが好ましい。
【００２０】
このようにすると、鏡筒とレンズホルダとの間に形成された、Ｄカット部に対応する空間の全域にわたり接着剤を注入させることができる。このため、鏡筒の第１のネジとレンズホルダの第２のネジの螺合箇所に接着剤をさらに十分に浸透させることができる。従って、鏡筒にレンズホルダをさらに十分な強度で固定することができ、耐振性能および耐衝撃性能がさらに十分に確保されたレンズ組立体を提供することができる。
【００２１】
また、上記目的を達成する本発明のレンズ組立体における接着方法は、
レンズを収容し外周面に第１のネジが形成された鏡筒と、開口を有しその開口内壁面に上記第１のネジと螺合する第２のネジが形成されたレンズホルダとを備え、
上記鏡筒が、上記第１のネジの一部分が上記レンズの光軸方向に扁平にカットされた形状のＤカット部を有し、
上記レンズホルダが、上記第１のネジと上記第２のネジの螺合が完了した状態において、上記Ｄカット部を上記レンズの光軸方向に覗く接着穴を有し、
上記鏡筒外周面と上記レンズホルダ内壁面との間に、上記接着穴および上記Ｄカット部を含む、上記レンズの光軸方向に貫通した通気孔を有するレンズ組立体における、上記鏡筒と上記レンズホルダとの接着方法であって、
上記接着穴とは反対側から上記通気孔を経由する空気を吸い出しながら、その接着穴から接着剤を注入することを特徴とする。
【００２２】
本発明のレンズ組立体における接着方法は、レンズホルダが有する接着穴とは反対側から上記通気孔を経由する空気を吸い出しながら、接着穴から接着剤を注入する方法である。このため、注入された接着剤は、上記反対側の方向に吸引されることとなる。このため、鏡筒とレンズホルダとの間に形成された、Ｄカット部に対応する空間の全域にわたり接着剤を注入させることができる。このようにすることにより、鏡筒の第１のネジとレンズホルダの第２のネジの螺合箇所に接着剤をさらに十分に浸透させることができる。従って、鏡筒にレンズホルダをさらに十分な強度で固定することができ、耐振性能および耐衝撃性能がさらに十分に確保されたレンズ組立体を製造することができる。
【００２３】
さらに、上記目的を達成する本発明の撮像装置は、上記レンズ組立体と、撮像装置とを備えたことを特徴とする。
【００２４】
本発明の撮像装置は、上記レンズ組立体を備えたものであるため、耐振性能および耐衝撃性能が十分に確保されたレンズ撮像装置を提供することができる。
【発明の効果】
【００２５】
本発明によれば、十分な耐振性能および耐衝撃性能を確保することができるとともに組み立て性に優れたレンズ組立体、レンズ組立体における接着方法、およびレンズ組立体を備えた撮像装置を提供することができる。
【発明を実施するための最良の形態】
【００２６】
以下、図面を参照して本発明の実施の形態を説明する。
【００２７】
図１は、本発明の第１実施形態のレンズ組立体の、撮影レンズの光軸を含む断面を示す図である。また、図２は、図１に示すレンズ組立体に備えられた鏡筒の斜視図、図３は、図１に示すレンズ組立体を結像側から見た図である。
【００２８】
図１（ａ）には、本発明の第１実施形態のレンズ組立体１０全体の、撮影レンズの光軸を含む断面図が示されている。また、図１（ｂ）には、図１（ａ）に示すレンズ組立体１０の、以下に説明する鏡筒が有するＤカット部およびレンズホルダが有する接着穴の拡大断面図が示されている。
【００２９】
図１（ａ）に示す第１実施形態のレンズ組立体１０には、被写体光Ａが入射する側から順に、第１群の撮影レンズ１１と、第２群の撮影レンズ１２と、第３群の撮影レンズ１３と、第４群の撮影レンズ１４とが備えられている。また、このレンズ組立体１０には、これら撮影レンズ１１，１２，１３，１４を収容する鏡筒１５と、撮影レンズ１１の周縁に設けられた溝と鏡筒１５の内壁面との間に配置されたＯリング１６と、鏡筒１５に固定されたレンズホルダ１７とが備えられている。尚、このレンズホルダ１７には、図示しないＣＣＤ基板が取り付けられる。
【００３０】
詳細には、図２に示すように、鏡筒１５の外周面には雄ネジ１５ａ（本発明にいう第１のネジの一例に相当）が形成されている。また、この鏡筒１５は、雄ネジ１５ａの一部分が撮影レンズ１１，１２，１３，１４の光軸方向に扁平にカットされた形状のＤカット部１５ｂ１，１５ｂ２を有する。
【００３１】
また、図３に示すように、レンズホルダ１７は開口１７ａを有する。この開口１７ａの内壁面には、鏡筒１５の雄ネジ１５ａに螺入する雌ネジ１７ｂ（本発明にいう第２のネジの一例に相当）が形成されている。さらに、レンズホルダ１７は、これら雄ネジ１５ａと雌ネジ１７ｂの螺合が完了した状態において、Ｄカット部１５ｂ１，１５ｂ２を撮影レンズ１１，１２，１３，１４の光軸方向に覗く接着穴１７ｃ１，１７ｃ２を有する。これら接着穴１７ｃ１，１７ｃ２に接着剤１８（図１（ｂ）参照）が注入され、これにより雄ネジ１５ａと雌ネジ１７ｂの螺合箇所が接着されて鏡筒１５にレンズホルダ１７が固定される。
【００３２】
レンズ組立体１０を組み立てる場合は、先ず、第４群の撮影レンズ１４を鏡筒１５に収容する。次いで、第３群の撮影レンズ１３、第２群の撮影レンズ１２を順次に鏡筒１５に収容する。さらに、第１群の撮影レンズ１１の周縁に設けられた溝にＯリング１６を嵌装し、この撮影レンズ１１を鏡筒１５に収容する。第１群の撮影レンズ１１を鏡筒１５に収容した後で、鏡筒１５の前端を熱カシメによって、折り曲げ、第１群の撮影レンズ１１を保持する。
【００３３】
次いで、鏡筒１５の雄ネジ１５ａにレンズホルダ１７の雌ネジ１７ｂを螺入する。さらに、必要に応じて、組み立て性能の確認を行なう。ここで、例えば、鏡筒１５とレンズホルダ１７との位置関係が規定の範囲から外れていた場合、鏡筒１５とレンズホルダ１７との位置関係を規定の範囲内に調整する。次いで、レンズホルダ１７が有する接着穴１７ｃ１，１７ｃ２から接着剤１８を注入する。
【００３４】
上述したように、鏡筒１５は、雄ネジ１５ａの一部分が光軸方向に扁平にカットされた形状のＤカット部１５ｂ１，１５ｂ２を有する。このため、鏡筒１５の雄ネジ１５ａとレンズホルダ１７の雌ネジ１７ｂの螺合が完了した状態において、鏡筒１５とレンズホルダ１７との間に、Ｄカット部１５ｂ１，１５ｂ２に対応する空間α（図１（ｂ）参照）が形成される。また、上述したように、レンズホルダ１７は、鏡筒１５の雄ネジ１５ａとレンズホルダ１７の雌ネジ１７ｂの螺合した状態において、上記Ｄカット部ｂ１，ｂ２１を光軸方向に覗く接着穴１７ｃ１，１７ｃ２を有する。ここで、接着穴１７ｃ１，１７ｃ２から接着剤１８を注入すると、注入された接着剤１８は、上記空間αを経由して、鏡筒１５の雄ネジ１５ａとレンズホルダ１７の雌ネジ１７ｂとが螺合している箇所に十分に浸透する。従って、鏡筒１５にレンズホルダ１７を十分な強度で固定することができ、耐振性能および耐衝撃性能が十分に確保されたレンズ組立体１０を提供することができる。
【００３５】
また、組み立て性能の確認終了後に、接着穴１７ｃ１，１７ｃ２から接着剤１８を注入することができるため、雄ネジと雌ネジに接着剤を塗布してから雄ネジと雌ネジを螺合する場合と比較し、組み立て性能の確認において調整が必要であると判定され既に接着剤で鏡筒とレンズホルダが固定された状態にあるレンズ組立体を廃棄せざるを得ないという事態を避けることができ、従ってレンズ組立体１０の廃棄率の低下が図られる。
【００３６】
さらに、特許文献１に提案された、鏡筒をカメラケースにゴムパッキンを介してネジ止めする技術や、特許文献２に提案された、レンズホルダに外装されるナット体を用いてレンズユニットをレンズホルダに固定する技術と比較し、組み立て作業が簡単であり且つ大型化することもなく、従って小型で組み立て性に優れたレンズ組立体１０を提供することができる。
【００３７】
図４は、本発明の第２実施形態のレンズ組立体の、撮影レンズの光軸を含む断面を示す図である。
【００３８】
図４（ａ）には、本発明の第２実施形態のレンズ組立体２０全体の、撮影レンズの光軸を含む断面図が示されている。また、図４（ｂ）には、図４（ａ）に示すレンズ組立体２０の、鏡筒が有するＤカット部およびレンズホルダが有する接着穴の拡大断面図が示されている。尚、図１に示すレンズ組立体１０の構成要素と同じ構成要素には同一の符号を付し、異なる点について説明する。
【００３９】
図４に示すレンズ組立体２０は、図１に示すレンズ組立体１０と比較し、レンズホルダ１７が、以下に説明するレンズホルダ２７に置き換えられている。また、図４に示すレンズ組立体２０には、本発明のレンズ組立体における接着方法の一実施形態が適用されている。
【００４０】
図４に示すレンズ組立体２０は、鏡筒１５の外周面とレンズホルダ２７の内壁面との間に、接着穴１７ｃ１，１７ｃ２およびＤカット部１５ｂ１，１５ｂ２（図２参照）を含む、光軸方向に貫通した通気孔２７ａ，２７ｂを有する。これら通気孔２７ａ，２７ｂは、レンズホルダ２７の内壁面を加工する（削る）ことにより形成されている。
【００４１】
レンズ組立体２０を組み立てる場合は、図１に示すレンズ組立体１０を組み立てる場合と同様にして、第４群の撮影レンズ１４、第３群の撮影レンズ１３、第２群の撮影レンズ１２を順次に鏡筒１５に収容し、第１群の撮影レンズ１１の周縁に設けられた溝にＯリング１６を嵌装して撮影レンズ１１を鏡筒１５に収容する。さらに、鏡筒１５の雄ネジにレンズホルダ２７の雌ネジを螺入し、必要に応じて組み立て性能の確認を行なう。
【００４２】
次いで、レンズホルダ２７が有する接着穴１７ｃ１，１７ｃ２から接着剤１８を注入する。ここで、図４（ａ）に示すように、接着穴１７ｃ１，１７ｃ２とは反対側（対物側）から、通気孔２７ａ，２７ｂを経由する空気を矢印Ｐ１，Ｐ２方向に吸い出しながら、接着穴１７ｃ１，１７ｃ２から接着剤１８を注入する。すると、図４（ｂ）に示すように、注入された接着剤１８は、矢印Ｐ３方向に向けて吸引されることとなる。このため、鏡筒１５とレンズホルダ２７との間に形成された、Ｄカット部１５ｂ１に対応する空間αの全域にわたり接着剤１８を注入させることができる。このようにすることにより、鏡筒１５の雄ネジとレンズホルダ１７の雌ネジの螺合箇所に接着剤１８をさらに十分に浸透させることができる。従って、鏡筒１５にレンズホルダ２７をさらに十分な強度で固定することができ、耐振性能および耐衝撃性能がさらに十分に確保されたレンズ組立体２０を提供することができる。
【００４３】
図５は、図１に示すレンズ組立体とは異なるレンズ組立体を結像側から見た図である。
【００４４】
図１に示すレンズ組立体１０では、図３に示すように、鏡筒１５が有する雄ネジ１５ａの一部分が撮影レンズの光軸方向に扁平にカットされた形状のＤカット部１５ｂ１，１５ｂ２を有する例で説明したが、この雄ネジ１５ａが有するＤカット部１５ｂ１，１５ｂ２に代えて、図５に示すように、レンズホルダ１７が有する雌ネジ１７ｂを光軸直交方向に切り欠いて、その雌ネジ１７ｂに切欠部１７ｄを設け、この切欠部１７ｄに接着剤１８（図１（ｂ）参照）を注入して、雄ネジ１５ａと雌ネジ１７ｂの螺合箇所を接着して鏡筒１５にレンズホルダ１７を固定してもよい。
【００４５】
図６は、図１に示すレンズ組立体を備えたカメラユニットの、撮影レンズの光軸を含む断面を示す図である。
【００４６】
図６に示すカメラユニット３０は、本発明の撮像装置の一実施形態であり、このカメラユニット３０には、図１に示すレンズ組立体１０と、ＣＣＤ撮像素子が搭載された半導体パッケージ３１と、この半導体パッケージ３１が実装されたＣＣＤ基板３２とが備えられている。また、レンズホルダ１７とＣＣＤ基板３２との当接部分に接着剤３３が塗布されて、レンズホルダ１７にＣＣＤ基板３２が固定されている。このカメラユニット３０によれば、図１に示すレンズ組立体１０を備えたものであるため、耐振性能および耐衝撃性能が十分に確保されている。
【００４７】
尚、図４に示す第２実施形態のレンズ組立体２０や、図５に示す、レンズホルダ１７の雌ネジ１７ｂを光軸直交方向に切り欠いた形状のレンズ組立体にも、図１に示すレンズ組立体１０と同様に、カメラユニットとして適用することができる。
【図面の簡単な説明】
【００４８】
【図１】本発明の第１実施形態のレンズ組立体の、撮影レンズの光軸を含む断面を示す図である。
【図２】図１に示すレンズ組立体に備えられた鏡筒の斜視図である。
【図３】図１に示すレンズ組立体を結像側から見た図である。
【図４】本発明の第２実施形態のレンズ組立体の、撮影レンズの光軸を含む断面を示す図である。
【図５】図１に示すレンズ組立体とは異なるレンズ組立体を結像側から見た図である。
【図６】図１に示すレンズ組立体を備えたカメラユニットの、撮影レンズの光軸を含む断面を示す図である。
【図７】従来のレンズ組立体の、撮影レンズの光軸を含む断面を示す図である。
【図８】図７に示すレンズ組立体を構成するレンズホルダにＣＣＤ基板を取り付ける様子を示した図である。
【符号の説明】
【００４９】
１０，２０  レンズ組立体
１１  第１群の撮影レンズ
１２  第２群の撮影レンズ
１３  第３群の撮影レンズ
１４  第４群の撮影レンズ
１５  鏡筒
１５ａ  雄ネジ
１５ｂ１，１５ｂ２  Ｄカット部
１６  Ｏリング
１７，２７  レンズホルダ
１７ａ  開口
１７ｂ  雌ネジ
１７ｃ１，１７ｃ２  接着穴
１７ｄ  切欠部
１８  接着剤
２７ａ，２７ｂ  通気孔
３０  カメラユニット
３１  半導体パッケージ
３２  ＣＣＤ基板
【図１】
2009244787.tif 000003
【図２】
2009244787.tif 000004
【図３】
2009244787.tif 000005
【図４】
2009244787.tif 000006
【図５】
2009244787.tif 000007
【図６】
2009244787.tif 000008
【図７】
2009244787.tif 000009
【図８】
2009244787.tif 000010